(57)【要約】【課題】映像差分情報を受信し易くすることができる電子機器を提供することである。【解決手段】電子機器は、選択手段と、受信手段と、映像処理手段とを備える。前記選択手段は、複数の受信処理から一つの受信処理が選択される。前記受信手段は、選択された受信処理に基づき、映像差分情報を受信する。前記映像処理手段は、第１の映像情報に基づき、第１の画質の第１の映像を出力する第１の映像処理、及び前記第１の映像情報及び前記映像差分情報に基づき前記第１の画質より高画質な第２の画質の第２の映像を出力する第２の映像処理を選択的に実行する。【選択図】図８
2014138359.tif 000002
【特許請求の範囲】
【請求項１】
複数の受信処理から一つの受信処理が選択される選択手段と、
前記選択された受信処理に基づき、映像差分情報を受信する受信手段と、
第１の映像情報に基づき、第１の画質の第１の映像を出力する第１の映像処理、及び前記第１の映像情報及び前記映像差分情報に基づき、前記第１の画質より高画質な第２の画質の第２の映像を出力する第２の映像処理を選択的に実行する映像処理手段と、
を備える電子機器。
【請求項２】
前記選択手段は、受信設定に基づき、第１の受信処理が選択され、前記第１の受信処理により映像差分情報を受信できない場合に第２の受信処理が選択される請求項１の電子機器。
【請求項３】
受信設定画面を出力する出力手段と、
前記受信設定画面を介して入力された受信設定を記憶する記憶手段と、
を備え、
前記選択手段は、前記受信設定に基づき、前記複数の受信処理から一つの受信処理が選択される請求項１又は２の電子機器。
【請求項４】
前記選択手段は、放送波から映像差分情報を受信する第１の受信処理、及びネットワークを介して映像差分情報を受信する第２の受信処理から、一つの受信処理が選択される請求項１乃至３の何れか一つの電子機器。
【請求項５】
前記選択手段は、放送波から映像差分情報を受信する第１の受信処理、ネットワークを介してP2P方式で映像差分情報を受信する第２の受信処理、及びネットワークを介してクライアント−サーバ方式で映像差分情報を受信する第３の受信処理から、一つの受信処理が選択される請求項１乃至４の何れか一つの電子機器。
【請求項６】
前記選択手段は、ネットワークの状況に応じて、前記複数の受信処理から一つの受信処理が選択される請求項１乃至５の何れか一つの電子機器。
【請求項７】
前記映像処理手段は、前記複数の受信処理のうちの何れか一つの受信処理により映像差分情報を受信した場合に前記第２の映像処理を実行し、映像差分情報を受信しない場合に前記第１の映像処理を実行する請求項１乃至６の何れか一つの電子機器。
【請求項８】
前記映像処理手段は、選択された受信処理を示す情報を含む前記第２の映像を出力する前記第２の映像処理を実行する請求項１乃至７の何れか一つの電子機器。
【請求項９】
複数の受信処理から一つの受信処理が選択され、
前記選択された受信処理に基づき、映像差分情報を受信し、
第１の映像情報に基づき、第１の画質の第１の映像を出力する第１の映像処理、及び前記第１の映像情報及び前記映像差分情報に基づき、前記第１の画質より高画質な第２の画質の第２の映像を出力する第２の映像処理を選択的に実行する情報受信方法。
【請求項１０】
複数の受信処理から一つの受信処理が選択される手順と、
前記選択された受信処理に基づき、映像差分情報を受信する手順と、
第１の映像情報に基づき、第１の画質の第１の映像を出力する第１の映像処理、及び前記第１の映像情報及び前記映像差分情報に基づき、前記第１の画質より高画質な第２の画質の第２の映像を出力する第２の映像処理を選択的に実行する手順と、
をコンピュータに実行させるための情報受信プログラム。
【発明の詳細な説明】
【技術分野】
【０００１】
本発明の実施形態は、電子機器、情報受信方法、及び情報受信プログラムに関する。
【背景技術】
【０００２】
デジタルＴＶの高画質化が進み、2K1K（水平1920×垂直1080）と呼ばれるフルハイビジョン映像を表示するデジタルＴＶが大幅に普及している。さらに、近年では、フルハイビジョン映像の画質を超える4K2K（水平4000×垂直2000程度）の映像を表示するデジタルＴＶも登場し始めている。
【先行技術文献】
【特許文献】
【０００３】
【特許文献１】特開平１０−１３６０１７号公報
【発明の概要】
【発明が解決しようとする課題】
【０００４】
上記のように、映像が高画質化すると、放送局と映像機器との間で送受信される情報量が増加する。情報量を軽減するために、例えば、4K2Kの映像情報をダウンコンバートして2K1Kの映像情報を生成し、4K2Kの映像情報と生成された2K1Kの映像情報とに基づき映像差分情報を生成し、2K1Kの映像情報と映像差分情報とを送信することが考えられている。例えば、放送局は、2K1Kの映像情報と映像差分情報を送信し、デジタルＴＶ等の電子機器は、2K1Kの映像情報と映像差分情報を受信し、受信した2K1Kの映像情報と映像差分情報から4K2Kの映像を再生する。しなしながら、電子機器が、映像差分情報を受信できなければ、4K2Kの映像を再生することはできない。
【０００５】
本発明の目的は、映像差分情報を受信し易くすることができる電子機器、情報受信方法、及び情報受信プログラムを提供することである。
【課題を解決するための手段】
【０００６】
実施形態の電子機器は、選択手段と、受信手段と、映像処理手段とを備える。前記選択手段は、複数の受信処理から一つの受信処理が選択される。前記受信手段は、選択された受信処理に基づき、映像差分情報を受信する。前記映像処理手段は、第１の映像情報に基づき、第１の画質の第１の映像を出力する第１の映像処理、及び前記第１の映像情報及び前記映像差分情報に基づき、前記第１の画質より高画質な第２の画質の第２の映像を出力する第２の映像処理を選択的に実行する。
【図面の簡単な説明】
【０００７】
【図１】実施形態に係る電子機器（映像表示装置、受信機）の外観の一例を示す図である。
【図２】実施形態に係る電子機器の内部構成の一例を示すブロック図である。
【図３】実施形態に係る送信機における情報処理及び電子機器（受信機）における情報処理の一例を示す図である。
【図４】実施形態に係る送信機の概略構成の一例を示すブロック図である。
【図５】実施形態に係る電子機器（受信機）の概略構成の一例を示すブロック図である。
【図６】実施形態に係る送信機による映像処理のフローチャートの一例を示す図である。
【図７】実施形態に係る受信機の映像処理のフローチャートの一例を示す図である。
【図８】実施形態に係る受信機による差分データ受信処理のフローチャートの一例を示す図である。
【図９】実施形態に係る差分データ受信設定画面の一例を示す図である。
【図１０】実施形態に係る受信先ユーザ指定画面の一例を示す図である。
【図１１】実施形態に係る受信先ユーザ指定画面の一例を示す図である。
【図１２】実施形態に係る受信処理に関する情報の表示例を示す図である。
【図１３】実施形態に係る受信処理に関する情報の表示例を示す図である。
【図１４】実施形態に係る受信処理に関する情報の表示例を示す図である。
【図１５】実施形態に係る受信処理に関する情報の表示例を示す図である。
【図１６】実施形態に係る受信処理に関する情報の表示例を示す図である。
【発明を実施するための形態】
【０００８】
図１は、実施形態に係る電子機器（映像表示装置、受信機）の外観の一例を示す図である。本実施形態では、電子機器の一例としてデジタルＴＶ等の映像表示装置について説明するが、本実施形態は映像表示装置に限定されるものではない。例えば、電子機器は、デジタルレコーダ又はパーソナルコンピュータでもよい。
【０００９】
図１に示すように、電子機器１００は、表示装置７及び操作受信部２０を備え、ハードディスクドライブ（ＨＤＤ）などの外部記録機器１９と接続可能に構成されている。表示装置７は、例えば、映像画質表示７ａを含む表示画面７０を表示する。操作受信部２０は、リモートコントローラなどの操作機器２１からの操作信号を受信する。
【００１０】
図２は、実施形態に係る電子機器の内部構成の一例を示すブロック図である。図２に示すように、電子機器１００は、チューナ３、信号処理部４、映像処理部５、音声処理部６、表示装置７、スピーカ９、バス１０、制御部１１、ＲＡＭ１３、ＲＯＭ１４、フラッシュメモリ１５、内部記録装置１７、外部インターフェース１８、操作受信部２０、送受信部（ネットワークインターフェース）２２、ドライブ部２８を備える。
【００１１】
制御部１１は、ＣＰＵ１２を備え、映像の受信から出力（表示）までの各処理を制御する。ＲＡＭ１３は、制御部１１のワーキングメモリとして機能する。ＲＯＭ１４は、制御部１１の動作を制御するプログラム等を記憶する。フラッシュメモリ１５は、サーバ２７、ネットワーク２６、送受信部２２を介して受信された各種データ（更新プログラム等）を記憶する。
【００１２】
チューナ３は、アンテナ２を介して放送局からの放送信号（2K1Kの映像情報、又は2K1Kの映像情報と映像差分情報）を受信し、操作機器２１で指定されたチャンネルの信号を選択（指定）して出力する。信号処理部４は、チューナ３で選択（指定）された信号に含まれた映像信号と音声信号とを分離し、映像信号を映像処理部５へ出力し、音声信号を音声処理部６へ出力する。映像処理部５は映像信号をデコードし、表示装置７はデコードされた映像信号に基づく映像を表示する。音声処理部６は音声信号をデコードし、スピーカ９はデコードされた音声信号に基づく音声を出力する。
【００１３】
内部記録装置１７は、番組記録指示又は番組記録予約に基づき、映像及び音声信号を記録する。同様に、外部記録装置１９も、番組記録指示又は番組記録予約に基づき、外部インターフェース１８を介して出力される映像及び音声信号を記録する。
【００１４】
送受信部２２は、ネットワーク２６を介して、P2P（Peer to Peer）方式で映像差分情報を受信したり、クライアント−サーバ方式で映像差分情報を受信したりすることができる。なお、上記したように、チューナ３が、放送波から映像差分情報を受信することもできる。即ち、電子機器１００は、放送波から映像差分情報を受信することもできるし、ネットワーク２６を介してP2P方式で映像差分情報を受信することもできるし、ネットワーク２６を介してクライアント−サーバ方式で映像差分情報を受信することもできる。言い換えれば、電子機器１００の制御部１１は、放送波から映像差分情報を受信する第１の受信処理、ネットワーク２６を介してP2P方式で映像差分情報を受信する第２の受信処理、及びネットワーク２６を介してクライアント−サーバ方式で映像差分情報を受信する第３の受信処理のうちの一つの受信処理を選択し、選択した受信処理に基づき映像差分情報を受信することができる。
【００１５】
図３は、実施形態に係る送信機における情報処理及び電子機器（受信機）における情報処理の一例を示す図である。図４は、実施形態に係る送信機の概略構成の一例を示すブロック図であり、図５は、実施形態に係る電子機器（受信機）の概略構成の一例を示すブロック図である。
【００１６】
図４に示すように、送信機２００は、ダウンスケーラ２０１、アップスケーラ２０２、比較部２０３、エンコーダ２０４、２０６、デコーダ２０５、メインデータ放送送信部２０７、差分データ放送送信部２０９、差分データネットワーク配信部２０８、ソース映像入力部２１０を備える。また、図５に示すように受信機１００は、メインデータ放送受信部１０１、差分データ放送受信部１０３、差分データネットワーク受信部１０２、受信データ選択部１０８、デコーダ１０４、１０５、アップスケーラ１０６、重畳部１０７、差分データ受信制御部１０９、表示装置７を備える。
【００１７】
ここで、図２に示すブロック図と図５に示すブロック図の対応関係について簡単に説明する。図２に示すチューナ３が、図５に示すメインデータ放送受信部１０１、差分データ放送送信部１０３に対応し、図２に示す送受信部２２が、図５に示す差分データネットワーク受信部１０２に対応する。また、図２に示す信号処理部４、映像処理部５、及び音声処理部６が、図５に示すデコーダ１０４、１０５、アップスケーラ１０６、重畳部１０７に対応する。また、図２に示す制御部１１が、図５に示す受信データ選択部１０８、差分データ受信制御部１０９に対応する。
【００１８】
以下、映像差分情報の受信処理の詳細について説明する。
【００１９】
高画質（高解像度）の映像（水平4000×垂直2000程度の4K2K映像、水平8000×垂直4000程度の8K4K映像など）は通常画質（通常解像度）の映像（水平1920×垂直1080の2K1K映像など）に比べて情報量が多く、高解像度の映像を放送波で放送することが難しい場合がある。
【００２０】
そこで、送信機２００（又は送信機２００とは別の情報処理機器）が、ソース映像入力部２１０を介して入力された高画質のソース映像（高画質ソース映像）に対して、画質（解像度）を落とすダウンスケーリングを実行し、高画質ソース映像から通常画質の映像（通常画質映像）を生成し、生成した通常画質映像に対して、画質（解像度）を上げるアップスケーリングを実行し、通常画質映像から高画質の映像（高画質アップスケーリング映像）を生成し、高画質ソース映像と高画質アップスケーリング映像とを比較し映像差分情報（以下、差分データ）を作成する。送信機は、放送波で通常画質映像に対応する通常画質映像情報を送信する。さらに、送信機は、放送波で差分データを送信（配信）したり、ネットワークを介して、P2P方式で映像差分情報を送信したり、クライアント−サーバ方式で映像差分情報を送信したりする。受信機１００は、通常画質映像情報を受信し、差分データも受信し、通常画質映像情報及び差分データに基づき高画質映像を生成し、出力（表示）する。
【００２１】
図３、図４、図５を参照して、さらに、差分データの生成及び差分データに基づく映像処理について詳しく説明する。
【００２２】
まず、図３及び図４を参照して送信機による差分データの生成について説明する。送信機２００（又は送信機２００とは別の情報処理機器）のダウンスケーラ２０１は、放送対象の高画質のソース映像（例えば4K2Kソース映像）に対してダウンスケーリングを実行し、標準画質の映像（例えば2K1Kダウンスケーリング映像）を生成する。つまり、ダウンスケーラ２０１は、高画質のソース映像を放送可能なサイズの映像へ変換する。
【００２３】
エンコーダ２０４は、2K1Kダウンスケーリング映像を符号化し、メインデータ放送送信部２０７は、2K1K映像情報（メインデータ）を放送波で放送する。また、デコーダ２０５は、符号化された2K1K映像情報から2K1K映像を復号し、アップスケーラ２０２は、復号した2K1K映像に対してアップスケーリングを実行し、4K2Kアップスケーリング映像を生成する。
【００２４】
比較部２０３は、4K2Kソース映像と4K2Kアップスケーリング映像とを比較し、4K2Kソース映像と4K2Kアップスケーリング映像の差分データ（4K2K差分データ）を取得する。
【００２５】
エンコーダ２０６は、差分データを符号化し、配信可能な差分データを生成する。差分データネットワーク配信部２０８は、ネットワークを介して、受信機１００からの要求を受信し、受信した要求に応じた差分データを送信（配信）し、差分データ放送送信部２０９は、放送波により差分データを送信（配信）する。差分データネットワーク配信部２０８及び差分データ放送送信部２０９の両者が、差分データを送信してもよいし、どちらか一方が差分データを送信してもよい。
【００２６】
続いて、図３及び図５を参照して受信機による差分データに基づく映像処理について説明する。
【００２７】
受信機１００のメインデータ放送受信部１０１は、送信機２００のメインデータ放送送信部２０７から送信された放送波（2K1K映像情報）を受信し、デコーダ１０４は、2K1K映像情報から2K1K映像を復号し、アップスケーラ１０６は、復号された2K1K映像を差分データに対応する画像サイズと等価なサイズに変換する。つまり、アップスケーラ１０６は、復号された2K1K映像をアップスケーリングし、4K2Kアップスケーリング映像を生成する。
【００２８】
さらに、受信機１００は、１以上の受信処理により差分データを受信する。例えば、受信機１００の放送受信部１０２は、ネットワークを介して、P2P方式で差分データを受信する。また、受信機１００の放送受信部１０２は、ネットワークを介して、クライアント−サーバ方式で差分データを受信する。さらに、受信機１００の差分データ放送受信部１０３は、放送波から差分データを受信する。つまり、受信機１００の差分データ受信制御部１０９は、放送波から差分データを受信する第１の受信処理、ネットワーク２６を介してP2P方式で差分データを受信する第２の受信処理、及びネットワーク２６を介してクライアント−サーバ方式で差分データを受信する第３の受信処理のうちの１以上の受信処理の実行を制御し、また、実行された１以上の受信処理から一つの受信処理を指定する。
【００２９】
例えば差分データ受信制御部１０９は、デフォルト又はユーザにより設定された優先度で、最も高い優先度の受信処理（例えば第１の受信処理）を指定し、受信データ選択部１０８は、指定された最も高い優先度の受信処理に対応して、差分データネットワーク受信部１０２又は差分データ放送受信部１０３からの差分データを選択する。デコーダ１０５は、受信データ選択部１０８により選択された差分データを復号する。指定した最も高い優先度の受信処理により差分データが受信できない場合には、差分データ受信制御部１０９は、二番目の優先度の受信処理（例えば第２の受信処理）を指定する。また、指定した二番目の優先度の受信処理により差分データが受信できない場合には、三番目の優先度の受信処理（例えば第３の受信処理）を指定する。
【００３０】
或いは、差分データ受信制御部１０９は、ネットワークの状況（受信状況及び混雑状態等）に応じて、一つの受信処理を指定し、受信データ選択部１０８は、指定された受信処理に対応して、差分データネットワーク受信部１０２又は差分データ放送受信部１０３からの差分データを選択する。デコーダ１０５は、受信データ選択部１０８により選択された差分データを復号する。
【００３１】
例えば、受信機１００が回線速度検出部を備え、回線速度検出部は差分データネットワーク受信部１０２（ネットワーク回線）の通信速度をリアルタイムに検出する。ネットワークの通信速度が基準値以下の場合には（通信速度が遅い場合には）、差分データ受信制御部１０９は、第１の受信処理を指定し、受信データ選択部１０８は、指定された第１の受信処理に対応して、差分データ放送受信部１０３からの差分データを選択する。第１の受信処理により差分データが受信できない場合には、差分データ受信制御部１０９は、第２及び第３の受信処理のうちの優先度の高い第２の受信処理を指定し、受信データ選択部１０８は、指定された第２の受信処理に対応して、差分データネットワーク受信部１０２からの差分データを選択する。第２の受信処理により差分データが受信できない場合には、差分データ受信制御部１０９は、第３の受信処理を指定し、受信データ選択部１０８は、指定された第３の受信処理に対応して、差分データネットワーク受信部１０２からの差分データを選択する。
【００３２】
また、ネットワークの通信速度が基準値より高い場合には（通信速度が速い場合には）、差分データ受信制御部１０９は、第２及び第３の受信処理のうちの優先度の高い第２の受信処理を指定し、受信データ選択部１０８は、指定された第２の受信処理に対応して、差分データネットワーク受信部１０２からの差分データを選択する。第２の受信処理により差分データが受信できない場合には、差分データ受信制御部１０９は、第３の受信処理を指定し、受信データ選択部１０８は、指定された第３の受信処理に対応して、差分データネットワーク受信部１０２からの差分データを選択する。第３の受信処理により差分データが受信できない場合には、差分データ受信制御部１０９は、第１の受信処理を指定し、受信データ選択部１０８は、指定された第１の受信処理に対応して、差分データ放送受信部１０３からの差分データを選択する。
【００３３】
重畳部１０７は、4K2Kアップスケーリング映像と差分データとを重畳し、4K2K高画質映像を生成し、表示装置７へ4K2K高画質映像を出力する。これにより、表示装置７は、4K2K高画質映像を表示する。なお、第１、第２、及び第３の受信処理の何れを選択しても差分データが受信できない場合等は、重畳部１０７は、表示装置７へ4K2Kアップスケーリング映像を出力する。これにより、表示装置７は、4K2Kアップスケーリング映像を表示する。
【００３４】
図６は、実施形態に係る送信機による映像処理のフローチャートの一例を示す図である。
【００３５】
送信機２００のソース映像入力部２１０は、ソース映像（例えば4K2Kサイズ）を入力し、ダウンスケーラ２０１は、ソース映像を2K1Kサイズへダウンスケーリングし（ＳＴ１０１）、エンコーダ２０４は、ダウンスケーリングしたデータを符号化する（ＳＴ１０２）。メインデータ放送送信部２０７は、符号化したデータを放送波にて送信する（ＳＴ１０３）。また、デコーダ２０５は、符号化したデータを再度復号化し（ＳＴ１０４）、アップスケーラ２０２は、復号化されたデータを元の解像度（例えば4K2Kサイズ）へアップスケーリングする（ＳＴ１０５）。比較部２０３は、ソース映像とアップスケーリング映像とを比較し（ＳＴ１０６）、差分データを生成する（ＳＴ１０７）。エンコーダ２０６は、生成した差分データを符号化し（ＳＴ１０８）、差分データネットワーク配信部２０８は、符号化された差分データをネットワークにより送信（配信）し（ＳＴ１０９）、差分データ放送送信部２０９は、符号化された差分データを放送波により送信（配信）する（ＳＴ１０９）。
【００３６】
例えば、差分データ放送送信部２０９が差分データを放送波により送信する第１の送信処理、差分データネットワーク配信部２０８がネットワークを介してP2P方式で差分データを送信する第２の送信処理、及び差分データネットワーク配信部２０８がネットワークを介してクライアント−サーバ方式で差分データを送信する第３の送信処理の少なくとも一つの送信処理が実行される。
【００３７】
図７は、実施形態に係る受信機の映像処理のフローチャートの一例を示す図である。
【００３８】
受信機１００のメインデータ放送受信部１０１は、放送波によりメインデータを受信し（ＳＴ２０１）、デコーダ１０４は、受信したデータを復号化する（ＳＴ２０２）。復号化した映像の解像度は2K1Kサイズであり、アップスケーラ１０６は、その解像度をソース映像と同じ解像度へアップスケーリングする（ＳＴ２０３）。
【００３９】
差分データ受信制御部１０９は、例えば、メインデータに含まれる制御情報又はユーザからの高画質視聴指示に基づき差分データの使用有無を確認し（ＳＴ２０４）、差分データの使用無しと判定した場合（ＳＴ２０５、ＮＯ）、重畳部１０７は、アップスケーリングされた解像度の映像（差分データを使用しないメインデータに対応する映像）を出力し、表示装置７は、アップスケーリングされた解像度の映像を表示する（ＳＴ２０６）。差分データ受信制御部１０９が、差分データの使用有りと判定した場合（ＳＴ２０５、ＹＥＳ）、差分データ受信処理を実行する（ＳＴ２０７）。つまり、差分データ受信制御部１０９は、上述した第１、第２、及び第３の受信処理のうちの一つの受信処理を指定し、指定した受信処理による差分データの受信を試行する。
【００４０】
指定した受信処理により差分データを受信できた場合（ＳＴ２０８、ＹＥＳ）、受信データ選択部１０８は、指定された受信処理に対応する差分データを選択し、デコーダ１０５は、差分データを復号化し（ＳＴ２０９）、重畳部１０７は、アップスケーリングされた解像度の映像と差分データとを重畳し（ＳＴ２１０）、高画質映像を生成し、高画質映像を出力する。これにより、表示装置７は、高画質映像を表示する（ＳＴ２１１）。なお、差分データを受信できない場合（ＳＴ２０８、ＮＯ）、重畳部１０７は、アップスケーリングされた解像度の映像（差分データを使用しないメインデータに対応する映像）を出力し、表示装置７は、アップスケーリングされた解像度の映像を表示する（ＳＴ２０６）。
【００４１】
図８は、実施形態に係る受信機による差分データ受信処理のフローチャートの一例を示す図である。
【００４２】
差分データ受信制御部１０９は、差分データ受信設定で、差分データの受信方法を確認する（ＳＴ３０１）。図９は、差分データ受信設定画面の一例を示す図である。リモートコントローラ２１等を介して、ユーザが、差分データ受信設定画面の表示を指示すると、表示装置７は、差分データ受信設定画面７１（図９）を表示する。例えば、差分データ受信設定画面は、受信先指定選択を示す項目７１１及び受信先自動選択７１２を示す項目を含む。
【００４３】
リモートコントローラ２１等を介して、ユーザが、項目７１２を選択すると、受信先自動選択が設定される。つまり、記憶部１６は、受信先自動選択の設定を記憶する。受信先自動選択が設定されている場合（ＳＴ３０２、ＹＥＳ）、差分データ受信制御部１０９は、例えば、放送波から差分データを受信する第１の受信処理を指定し、受信データ選択部１０８は、第１の受信処理に対応する差分データを選択する。第１の受信処理により差分データを受信できない場合は（ＳＴ３０６、ＮＯ）、差分データ受信制御部１０９は、例えば、ネットワークを介してP2P方式で差分データを受信する第２の受信処理を指定し、受信データ選択部１０８は、第２の受信処理に対応する差分データを選択する。第２の受信処理により差分データを受信できない場合は（ＳＴ３０７、ＮＯ）、差分データ受信制御部１０９は、例えば、ネットワークを介してクライアント−サーバ方式で差分データを受信する第３の受信処理を指定し、受信データ選択部１０８は、第３の受信処理に対応する差分データを選択する。第１の受信処理により差分データを受信できた場合（ＳＴ３０６、ＹＥＳ）（ＳＴ３１０）、放送波から受信した差分データを使用する。第２の受信処理により差分データを受信できた場合（ＳＴ３０７、ＹＥＳ）（ＳＴ３１１）、近隣のノードから受信した差分データを使用する。第３の受信処理により差分データを受信できた場合（ＳＴ３０８、ＹＥＳ）（ＳＴ３１２）、サーバから受信した差分データを使用する。
【００４４】
なお、受信先自動選択が設定されている場合に、差分データ受信制御部１０９は、ネットワークの状況（受信状況及び混雑状態等）を考慮し、第１、第２、及び第３の受信処理から適切な受信処理を選択してもよい。例えば、ネットワークの通信速度が基準値より高い場合には（通信速度が速い場合には）、差分データ受信制御部１０９は、第２及び第３の受信処理のうちの優先度の高い第２の受信処理を指定し、受信データ選択部１０８は、指定された第２の受信処理に対応して、差分データネットワーク受信部１０２からの差分データを選択してもよい。
【００４５】
また、リモートコントローラ２１等を介して、ユーザが、項目７１１を選択すると、表示装置７は、受信先ユーザ指定画面７２（図１０）を表示する。受信先ユーザ指定画面７２は、例えば、放送波から差分データを受信する第１の受信処理を指定する項目７２１、ネットワーク２６を介してP2P方式で差分データを受信する第２の受信処理を指定する項目７２２、及びネットワーク２６を介してクライアント−サーバ方式で差分データを受信する第３の受信処理を指定する項目７２３を含む。ユーザは、受信先ユーザ指定画面７２を介して、第１、第２、第３の受信処理のうちの何れか一つの受信処理を指定することができる。
【００４６】
例えば、ユーザが、受信先ユーザ指定画面７２の項目７２１を選択し、第１の受信処理を指定すると、記憶部１６は、第１の受信処理の設定を記憶する。又は、ユーザが、受信先ユーザ指定画面７２の項目７２２を選択し、第２の受信処理を指定すると、記憶部１６は、第２の受信処理の設定を記憶する。又は、ユーザが、受信先ユーザ指定画面７２の項目７２３を選択し、第３の受信処理を指定すると、記憶部１６は、第３の受信処理の設定を記憶する。
【００４７】
受信先ユーザ指定選択（第１の受信処理）が設定されている場合（ＳＴ３０２、ＮＯ）（ＳＴ３０３、ＹＥＳ）、差分データ受信制御部１０９は、第１の受信処理を指定し、受信データ選択部１０８は、第１の受信処理に対応する差分データを選択する。第１の受信処理により差分データを受信できない場合は（ＳＴ３０６、ＮＯ）、差分データ受信制御部１０９は、第２の受信処理を指定し、受信データ選択部１０８は、第２の受信処理に対応する差分データを選択する。第２の受信処理により差分データを受信できない場合は（ＳＴ３０７、ＮＯ）、差分データ受信制御部１０９は、例えば、ネットワークを介してクライアント−サーバ方式で差分データを受信する第３の受信処理を指定し、受信データ選択部１０８は、第３の受信処理に対応する差分データを選択する。第１の受信処理により差分データを受信できた場合（ＳＴ３０６、ＹＥＳ）（ＳＴ３１０）、放送波から受信した差分データを使用する。第２の受信処理により差分データを受信できた場合（ＳＴ３０７、ＹＥＳ）（ＳＴ３１１）、近隣のノードから受信した差分データを使用する。第３の受信処理により差分データを受信できた場合（ＳＴ３０８、ＹＥＳ）（ＳＴ３１２）、サーバから受信した差分データを使用する。
【００４８】
受信先ユーザ指定選択（第２の受信処理）が設定されている場合（ＳＴ３０２、ＮＯ）（ＳＴ３０３、ＮＯ）（ＳＴ３０４、ＹＥＳ）、差分データ受信制御部１０９は、第２の受信処理を指定し、受信データ選択部１０８は、第２の受信処理に対応する差分データを選択する。第２の受信処理により差分データを受信できない場合は（ＳＴ３０７、ＮＯ）、差分データ受信制御部１０９は、第３の受信処理を指定し、受信データ選択部１０８は、第３の受信処理に対応する差分データを選択する。第２の受信処理により差分データを受信できた場合（ＳＴ３０７、ＹＥＳ）（ＳＴ３１１）、近隣のノードから受信した差分データを使用する。第３の受信処理により差分データを受信できた場合（ＳＴ３０８、ＹＥＳ）（ＳＴ３１２）、サーバから受信した差分データを使用する。
【００４９】
受信先ユーザ指定選択（第３の受信処理）が設定されている場合（ＳＴ３０２、ＮＯ）（ＳＴ３０３、ＮＯ）（ＳＴ３０４、ＮＯ）（ＳＴ３０５、ＹＥＳ）、差分データ受信制御部１０９は、第３の受信処理を指定し、受信データ選択部１０８は、第３の受信処理に対応する差分データを選択する。第３の受信処理により差分データを受信できた場合（ＳＴ３０８、ＹＥＳ）（ＳＴ３１２）、サーバから受信した差分データを使用する。
【００５０】
或いは、リモートコントローラ２１等を介して、ユーザが、項目７１１を選択すると、表示装置７は、受信先ユーザ指定画面７３（図１１）を表示する。受信先ユーザ指定画面７３は、例えば、第１、第２、及び第３の受信処理の中から第１優先（最優先）の受信処理を設定する項目７３１、７３２、７３３、第１、第２、及び第３の受信処理の中から第２優先の受信処理を設定する項目７３４、７３５、７３６、第１、第２、及び第３の受信処理の中から第３優先の受信処理を設定する項目７３７、７３８、７３９を含む。さらに、受信先ユーザ指定画面は、ネットワークの状況に応じて受信処理を自動切替することを指定する項目７４１、自動切替しないことを指定する項目７４２を含む。
【００５１】
例えば、ユーザが、受信先ユーザ指定画面７３の項目７３１、７３５、７３９、７４２を介して、第１の受信処理を第１優先に指定し、第２の受信処理を第２優先に指定し、第３の受信処理を第３優先に指定し、ネットワークの状況に応じて受信処理を自動切替しないことを指定すると、記憶部１６は、これらの指定を記憶する。このケースでは、最初に、差分データ受信制御部１０９は、放送波から差分データを受信する第１の受信処理を指定し、受信データ選択部１０８は、第１の受信処理に対応する差分データを選択する。第１の受信処理により差分データを受信できない場合は、次に、差分データ受信制御部１０９は、ネットワークを介してP2P方式で差分データを受信する第２の受信処理を指定し、受信データ選択部１０８は、第２の受信処理に対応する差分データを選択する。第２の受信処理により差分データを受信できない場合は、次に、差分データ受信制御部１０９は、例えば、ネットワークを介してクライアント−サーバ方式で差分データを受信する第３の受信処理を指定し、受信データ選択部１０８は、第３の受信処理に対応する差分データを選択する。第１の受信処理により差分データを受信できた場合、放送波から受信した差分データを使用する。第２の受信処理により差分データを受信できた場合、近隣のノードから受信した差分データを使用する。第３の受信処理により差分データを受信できた場合、サーバから受信した差分データを使用する。
【００５２】
なお、ネットワークの状況に応じて受信処理を自動切替することが指定されている場合には、差分データ受信制御部１０９は、ネットワークの状況（受信状況及び混雑状態等）を考慮し、第１、第２、及び第３の受信処理から適切な受信処理を選択する。例えば、ネットワークの通信速度が基準値より高い場合には（通信速度が速い場合には）、差分データ受信制御部１０９は、第２及び第３の受信処理のうちの優先度の高い第２の受信処理を指定し、受信データ選択部１０８は、指定された第２の受信処理に対応して、差分データネットワーク受信部１０２からの差分データを選択する。
【００５３】
以上により、例えば、放送波にて差分データを受信できなくても、P2P型ネットワーク上の端末(ノード)の中で差分データを最適に受信可能な端末があるかどうか確認し、受信可能であればそのノードから差分データを受信することができる。また、P2P型ネットワーク上のノードから差分データを受信できなくても、サーバから受信可能かどうか確認し、受信可能であれば、サーバから差分データを受信することができる。サーバから差分データを受信できない場合、差分データは使用不可と判定し、差分データ受信処理を終了する。
【００５４】
なお、差分データ受信処理における受信先の指定順序は上記の通りではなくてもよい。
【００５５】
次に、受信処理に関する情報の表示例について説明する。例えば、重畳部１０７は、アップスケーリングされた解像度の映像と、差分データと、受信処理に関する情報とを重畳し、重畳映像を出力する。これにより、例えば、図１２に示すように、表示装置７は、高画質映像とともに、受信処理に関する情報として、例えば「差分データ自動選択中」を表示する。或いは、図１３に示すように、表示装置７は、高画質映像とともに、受信処理に関する情報として、例えば「差分データ指定選択中」を表示する。或いは、図１４に示すように、表示装置７は、高画質映像とともに、受信処理に関する情報として、例えば「差分データを放送波から受信中」を表示する。或いは、図１５に示すように、表示装置７は、高画質映像とともに、受信処理に関する情報として、例えば「差分データを近隣の端末から受信中」を表示する。或いは、図１６に示すように、表示装置７は、高画質映像とともに、受信処理に関する情報として、例えば「差分データをサーバから受信中」を表示する。
【００５６】
これにより、ユーザは、現在の受信設定を知ることもできるし、また、実際にどの受信処理により差分データを受信しているかを知ることもできる。
【００５７】
受信処理に関する情報の表示タイミングは、リモートコントローラ２１等を介して、ユーザが指定することができる。例えば、常時表示が指定されていれば、表示装置７は、受信処理に関する情報を常時表示する。例えば、チャンネル切替時表示が指定されていれば、表示装置７は、チャンネル切替時に一定時間だけ受信処理に関する情報を表示する。例えば、パワーオン時の表示が指定されていれば、表示装置７は、パワーオン時に一定時間だけ受信処理に関する情報を表示する。例えば、状態変化時に表示が指定されていれば、表示装置７は、チャンネル切替時、パワーオン時に、一定時間だけ受信処理に関する情報を表示する。
【００５８】
上記説明したPeer to Peer型ネットワークの形態については任意のものを適用可能である。どのノードに最適なデータが存在するかを確認するための情報をサーバが保有する形態、各ノードに分散して保有する形態、特定のノードが保有する形態などがあるが、どの形態でもよい。また、複数のノードまたはサーバに同じデータが存在する場合、それぞれのネットワーク回線の負荷状況に応じて動的に選択することも可能である。
【００５９】
以下、本実施形態についてまとめる。
【００６０】
（１）送信機２００は、放送波及びネットワークで差分データを送信（配信）することができる。例えば、ネットワークで差分データを送信する場合、Peer to Peer型のネットワークで差分データを送信することができ、また、クライアント−サーバ型のネットワークで差分データを送信することもできる。
【００６１】
（２）受信機１００は、放送波及びネットワークで差分データを受信することができる。例えば、ネットワークで差分データを受信する場合、Peer to Peer型のネットワークで差分データを受信することができ、また、クライアント−サーバ型のネットワークで差分データを受信することもできる。受信機１００は、放送波から差分データを受信する第１の受信処理、ネットワーク２６を介してP2P方式で差分データを受信する第２の受信処理、及びネットワーク２６を介してクライアント−サーバ方式で差分データを受信する第３の受信処理の全てを実行してもよいし、第１、第２、及び第３の受信処理のうちの少なくとも一つの受信処理を実行してもよい。受信機１００は、第１、第２、及び第３の受信処理の中から適切な受信処理を自動的に選択することもできるし、ユーザの設定に応じて第１、第２、及び第３の受信処理の中から一つの受信処理を選択することもできる。
【００６２】
本実施形態により、ユーザが高解像度の映像を視聴し易くなり、さらにネットワーク負荷を低減させることも可能となる。
【００６３】
なお、上記処理（差分データの受信処理、選択処理、復号化処理、アップスケーリング処理、重畳処理、表示処理等）の手順は全てソフトウェアによって実行することが可能である。このため、上記処理の手順を実行するプログラムを格納したコンピュータ読み取り可能な記憶媒体を通じてこのプログラムを通常のコンピュータにインストールして実行するだけで、上記処理を容易に実現することができる。
【００６４】
例えば、受信機１００は、ドライブ部２８を介して、コンピュータが読み取り可能な記憶媒体から上記プログラムを読み取り、フラッシュメモリ１５に読み取ったプログラムを記憶し、プログラムのインストールを完了することができる。或いは、受信機１００は、送受信部２２等を介して、上記プログラムをダウンロードし、フラッシュメモリ１５にダウンロードしたプログラムを記憶し、プログラムのインストールを完了することができる。これにより、上記コンピュータに相当する受信機１００の制御部１１は、インストールされた上記プログラムに基づき、上記処理（差分データの受信処理、選択処理、復号化処理、アップスケーリング処理、重畳処理、表示処理等）を容易に実現することができる。
【００６５】
同様にして、送信機２００でも、インストールされたプログラムに基づき、差分データの生成処理、送信処理を容易に実現することができる。
【００６６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６７】
２…アンテナ、３…チューナ、４…信号処理部、５…映像処理部、６…音声処理部、７…表示装置、９…スピーカ、１０…バス、１１…制御部、１３…ＲＡＭ、１４…ＲＯＭ、１５…フラッシュメモリ、１７…内部記録装置、１８…外部インターフェース、２０…操作受信部、２２…送受信部（ネットワークインターフェース）、２８…ドライブ部、１００…電子機器（受信機）、１０１…メインデータ放送受信部、１０２…差分データネットワーク受信部、１０３…差分データ放送受信部、１０４、１０５…デコーダ、１０６…アップスケーラ、１０７…重畳部、１０８…受信データ選択部、１０９…差分データ受信制御部、２００…送信機、２０１…ダウンスケーラ、２０２…アップスケーラ、２０３…比較部、２０４、２０６…エンコーダ、２０５…デコーダ、２０７…メインデータ放送送信部、２０８…差分データネットワーク配信部、２０９…差分データ放送送信部
【図１】
2014138359.tif 000003
【図２】
2014138359.tif 000004
【図３】
2014138359.tif 000005
【図４】
2014138359.tif 000006
【図５】
2014138359.tif 000007
【図６】
2014138359.tif 000008
【図７】
2014138359.tif 000009
【図８】
2014138359.tif 000010
【図９】
2014138359.tif 000011
【図１０】
2014138359.tif 000012
【図１１】
2014138359.tif 000013
【図１２】
2014138359.tif 000014
【図１３】
2014138359.tif 000015
【図１４】
2014138359.tif 000016
【図１５】
2014138359.tif 000017
【図１６】
2014138359.tif 000018